(57)【要約】【課題】テープ粘着作業における安全性を向上すると共に、クラフトテープの切断端に剥離代となる非接着テープ片を自動的に貼付できるクラフトテープカッターを提供する。【解決手段】本体ケース１２にカッター刃５と、これを覆う安全カバー７とを取り付ける。安全カバー７は、押しボタン２６でロック解除して移動可能になる。本体ケース１２内には、紙テープＳを切断するハサミ上刃２１、２２と、紙テープＳをハサミ上刃２１、２２まで送り出す送出ローラ２０と、切断した紙テープ片Ｓ１を保持してクラフトテープＴに貼付する紙テープホルダー２４を配設する。前記部材２１、２２、２０、２４は、安全カバー７と連動する駆動レバー２９の回動下降により駆動する。安全カバー７は、テープカットの際、クラフトテープＴで押されて後退移動する。【選択図】  図１
2004161487.tif 000002
【特許請求の範囲】
【請求項１】
クラフトテープを装填する第一の回転リールと、クラフトテープを切断するカッター刃と、カッター刃を覆う移動可能な安全カバーと、剥離用非接着テープを装填する第二の回転リールと、非接着テープを切断するハサミ部と、非接着テープをハサミ部側に所定の長さだけ送り出す送出ローラと、切断後の非接着テープ片を保持してクラフトテープに貼付する可動ホルダーと、可動ホルダーを前記送出ローラ及びハサミ部と共に駆動させる駆動レバーとを備えたクラフトテープカッターであって、前記安全カバーは、クラフトテープをカットする際にクラフトテープに当接して移動すると共に、該安全カバーの移動と連動して前記駆動レバーが作動するように設けられていることを特徴とするクラフトテープカッター。
【請求項２】
安全カバーはロック機構により固定され、該ロック機構を解除するロック解除手段を備えることを特徴とする請求項１記載のクラフトテープカッター。
【発明の詳細な説明】
【０００１】
【発明の属する技術分野】
本発明は、ハンディタイプのクラフトテープカッターに関し、クラフトテープの切断部に剥離用テープを貼付させることで、ダンボール箱などの対象物に貼着したクラフトテープの剥離作業を容易に行えるようにしたクラフトテープカッターに関するものである。
【０００２】
【従来の技術】
従来、ハンディタイプのクラフトテープカッターとしては、テープ保持部及びカッター刃を設けたテープカッター本体に、ロール状の接着テープを回転式に装填し、接着テープの先端を引き出して使用するようになっている。そして、切断された接着テープ片は、そのテープ片全面が接着対象物の表面に貼着されるので、例えば、当初からテープを剥離することを目的とした段ボール箱や大型封筒などに貼着する場合、一旦貼着したテープを剥離することが甚だ困難になる。このため、貼着後にテープの剥離が予定されている場合、切断された接着テープ片の端部を接着面側に折り返して貼り合わせることにより、非接着部分を予め形成して接着対象物に貼着する方法が多く採用されている。
【０００３】
しかし、この作業は接着面同士の貼り合わせ作業となるので、接着テープ片が端部以外で貼着する欠点がある。また、手指に接着テープ片が付着してズレが生じやすく、意外と困難を伴う作業となっている。そこで、切断後の接着テープ片に、紙テープ片を貼り合わせて、非接着部分（剥離代）を形成するようにしたテープカッターが提案されている（例えば、特許文献１参照。）。
【０００４】
【特許文献１】
特開２００１−１０７６２号公報（第２−４頁、図１−図４）
【０００５】
【発明が解決しようとする課題】
しかしながら、上記公報所載のテープカッターは、接着テープと紙テープとを別々に引き出し、更に引き出した各々のテープを別々の切刃で切断する必要がある。しかも、剥離代となる紙テープの引出し量を送りハンドルを用いて手作業で調節しなければならないという非常に手間のかかるものになっている。他にも接着テープとしてクラフトテープを用いるものでは、クラフトテープの引出しを案内、押圧する案内ローラ、押圧ローラや回転防止板を備えたタイプのものがある。また、クラフトテープは素材が丈夫なため、カッターには鋭い切刃が用いられて危険である。この点を考慮して、一部に手動でスライドする安全カバー又はハンドルを取り付けたタイプのものがある。
【０００６】
しかし、クラフトテープは粘着力が強いために、例えばダンボール箱の封緘に使用した場合、封緘したテープが剥がし難くなり開梱が困難になる。そのため、カッターナイフやハサミなどを用いたり、テープ粘着した封緘部分を叩いて破ることもあるが、このような方法で開緘した場合は、ダンボール箱の中身の商品などを傷つけるおそれがある。また、クラフトテープを切る際には、テープカッターを持った方の手首をひねる動作をする必要があるので、このような作業を長時間繰り返して行うと手首を傷めて腱鞘炎などの原因になることがある。
本発明は、上記のような従来技術の問題点に鑑み、安全性を向上することができると共に、接着テープの切断端に剥離代となる非接着部分を自動的に形成できるクラフトテープカッターを提供することを目的とするものである。
【０００７】
【課題を解決するための手段】
この目的を達成するため、本発明は、クラフトテープを装填する第一の回転リールと、クラフトテープを切断するカッター刃と、カッター刃を覆う移動可能な安全カバーと、剥離用非接着テープを装填する第二の回転リールと、非接着テープを切断するハサミ部と、非接着テープをハサミ部側に所定の長さ送り出す送出ローラと、切断後の非接着テープ片を保持してクラフトテープに貼付する可動ホルダーと、可動ホルダーを前記送出ローラ及びハサミ部と共に駆動させる駆動レバーとを備えたクラフトテープカッターであって、前記安全カバーは、クラフトテープをカットする際にクラフトテープに当たって移動すると共に、該安全カバーの移動と連動して前記駆動レバーが作動するように設けられていることを特徴とする。また、安全カバーはロック機構により固定され、該ロック機構を解除するロック解除手段を備えることを特徴とする。
【０００８】
本発明において、安全カバーは、クラフトテープをカットする際、クラフトテープに当接して移動するようにされ、かつ駆動レバーは、該安全カバーの動きに連動して作動するように設けられている。安全カバーはロック機構により固定され、クラフトテープをカットする際、ロック解除手段によりロック機構を解除することで、安全カバーを移動可能な状態に切り換えることができる。また、駆動レバーにより、送出ローラ、ハサミ部及び可動ホルダーを所定のタイミングで逐次駆動させることができる。
【０００９】
このテープカッターは、第一の回転リールに装填したクラフトテープを切断するカッター刃とは別に、第二の回転リールに装填した非接着テープを切断するハサミ部を具備する。テープカッターの本体ケースには、カッター刃を覆う安全カバーをカッター刃に対してを進退動作可能に設ける。この安全カバーは通常ロック機構により固定されるが、ロック解除手段によりロック解除することで、固定状態から移動可能な状態に切り換えられる。このロック機構は押しボタン式にすることで、ワンタッチで操作できるようにする。
【００１０】
剥離代用非接着テープの先端は、送出ローラによりハサミ部側に所定の長さ送り出される。送り出された非接着テープの先端部分はハサミ部により切断される。非接着テープの切断片は、可動ホルダーで保持してカッター刃側に移動搬送させ、クラフトテープ先端の粘着面にこの非接着テープ片を押し当てて貼付する。送出ローラ、ハサミ部及び可動ホルダーは、駆動レバーにより駆動させる。駆動レバーは、安全カバーの移動と連係して作動させる。安全カバーは、クラフトテープをカッター刃に当ててカットする際、クラフトテープが安全カバーに当接して押圧移動される。したがって、テープカットの際、安全カバーが動くとリンクピン又はカム部材などを介して駆動レバーが作動し、この駆動レバーにより、送出ローラ、ハサミ部及び可動ホルダーが駆動される。
【００１１】
このテープカッターを用いることで、切断されるクラフトテープの後端部に剥離代用の非接着テープ片が自動的に貼付される。すなわち、まずクラフトテープの先端部を引出して、その引き出した部分をダンボール箱などの対象物に貼り付ける。そして、クラフトテープを所望長さの箇所でカッター刃に押し当ててカットする。このテープカットの際に、ロック解除手段を操作してロック解除することにより移動可能にセットされた安全カバーは、クラフトテープ表面により押されてカッター刃に対して離反方向に後退移動する。このとき、安全カバーの移動に連動して駆動レバーが作動する。すると駆動レバーの作動により、送出ローラ、ハサミ部及び可動ホルダーが駆動される。
【００１２】
送出ローラの作動により、非接着テープの先端部がハサミ部側に所定の長さ送り出される。送り出された非接着テープの先端部はハサミ部により切断される。この非接着テープの切断片は、可動ホルダーによって保持されたままカッター刃の近くに運ばれ、安全カバーと反対側からクラフトテープの粘着面に押し当てられて貼付される。クラフトテープに非接着テープ片を貼付した後、カッター刃によりクラフトテープが切断される。これにより、ダンボール箱などに貼り付けられたクラフトテープの後端部分に非接着テープ片が貼付され、このテープ片はクラフトテープの剥離代として機能する。その後、ダンボール箱等に貼着したクラフトテープを剥離する際には、剥離代である非接着テープ片の部分を掴んで容易に剥がすことができる。
【００１３】
本発明において、安全カバーに押しボタン式ロック解除機構を付設したものでは、押しボタンを押して安全カバーのロックを解除した後に、クラフトテープをカッター刃により切断するが、クラフトテープを切断しようとする際に、安全カバーは、クラフトテープにより押されてカッター刃の後端側に動く。安全カバーが所定位置まで動くと、安全カバーはリターンバネにより元の位置に復帰したのち、再びロック機構により自動的にロックされて固定状態に切り換わる。
【００１４】
また、紙テープのカット後、可動ホルダーの駆動アーム部がカッター刃側に向かって回転して可動ホルダーが安全カバー近傍のクラフトテープの先端部まで移動し、クラフトテープに紙テープ片を貼付する。この後駆動アーム部は、駆動レバーによる駆動力が解除されてフリーとなり、バネの力で元の位置まで回転して復帰する。
【００１５】
【発明の実施の形態】
次に、本発明の実施の態様を図面に示す実施例に基づいて説明する。
図１は本発明に係るクラフトテープカッターの内面構造（初期状態）を示す正面図、図２は図１の平面図、図３は図１の背面図、図４はクラフトテープカッターのテープカット状態の内部構造を示す正面図、図５は図４の背面図、図６はクラフトテープカッターの内面構造（テープ貼付状態）を示す正面図、図７は図６の背面図、図８はクラフトテープカッターの内面構造（テープカット完了状態）を示す正面図、図９は図８の背面図、図１０は段ボール箱にクラフトテープを貼り付けて封緘した状態を示す説明図である。
【００１６】
【実施例】
図１乃至図３に示すように、本実施例に係るクラフトテープ（接着テープ）カッターは、本体ケース１２の胴体部１２Ａに、クラフトテープＴを装填するクラフトテープロール（第一の回転リール）１６と、剥離用紙テープ（剥離代用非接着テープ）Ｓを装填する紙テープロール（第二の回転リール）１７とを設け、本体ケース１２のテープ引出し側のカット台部１２Ｂに、クラフトテープＴの先端部を切断するカッター刃５と、これを覆う安全カバー７とを取り付けたものである。安全カバー７を固定するストッパーピン（ロック機構）３８を押しボタン（ロック解除手段）２６で解除することで、安全カバー７は移動可能になる。本体ケース１２内には、紙テープＳを切断するハサミ上刃２１、２２と、紙テープＳをハサミ上刃２１、２２まで送り出す送出ローラ２０及び補助ローラ６２と、切断した紙テープ片Ｓ１を一旦保持してクラフトテープＴの切断端に貼付する紙テープホルダー（可動ホルダー）２４を配設し、これらの部材２１、２２、２０、２４は、安全カバー７と連動する駆動レバー２９の回動により駆動される。安全カバー７は、クラフトテープＴをカットする際に、クラフトテープＴで押圧されて後方にスライドする。
【００１７】
本体ケース１２は、クラフトテープＴの収納部を有する中空状の胴体部１２Ａと、この前方側に設けたカット台部１２Ｂとからなる。カット台部１２Ｂの上面には、クラフトテープＴの先端部を切断するカッター刃５が固定されている。胴体部１２Ａ内には、クラフトテープロール１６が装填されている。クラフトテープＴは、本体ケース１２の側板４７に設けたクラフトテープホルダー４０、４１で保持され、クラフトテープＴの上側はクラフト押さえ板４５で押さえられている。クラフトテープロール１６の下部後方側の側板４７にはベースプレート４６が設けられ、ベースプレート４６には、紙テープロール１７の芯４３が側板用ノブ５２を介して装填されている。紙テープロール１７は、ロール押さえ４４により横振れが規制されている。紙テープＳは、紙テープロール１７から紙テープ底ガイド５０、５１に沿って送出ローラ２０側に引き出されるようになっている。
【００１８】
１は、カット台部１２Ｂ下側のステイ２に回転可能に保持された回転ローラで、駆動レバー２９の回転動作によって、カット台部１２Ｂ側に１８０度回転できるようになっている。回転ローラ１はホルダーアーム（駆動アーム部）８を有し、ホルダーアーム８とケース本体１２との間にはアームリターンバネ５３が装着されている。アームリターンバネ５３の付勢力は、回転ローラ１を元の位置に常時復帰させる方向に作用している。ホルダーアーム８の先端には、紙テープＳを着脱可能に保持する紙テープホルダー２４が取り付けられている。図中、３は、引き出されたクラフトテープＴが落下した場合にこれを掛止するためのテープストッパローラーである。
【００１９】
カット台部１２Ｂの上面には、中央が凸の山型の平面形状に形成されたカット刃５が固定されている。カット刃５の上側は安全カバー７により覆われている。安全カバー７はガイドピン９を有し、ロック機構であるストッパーピン３８でロック固定されているが、押しボタン２６を押すことでロック解除されるようになっている。ロック解除状態の安全カバー７は、テープ切断の際に、クラフトテープＴに当接して押圧されて後方に移動できるようになっている。
【００２０】
本体ケース１２におけるクラフトテープロール１６の前方には駆動部カバー４８が取り付けられ、駆動部カバー４８内面の所定位置にはカット刃固定ブロック１０、ハサミ部ブロック２３、駆動ブロック３０、リンク固定ブロック３４等が設けられている。１４は、駆動部カバー４８の前方上部に設けられたピニオンギアで、ピニオンギア１４には、上下方向に延びるラックギア１５が噛合している。ラックギア１５はギアガイド１９に沿って昇降自在とされ、ギアガイド１９はギアホルダー１８により保持されている。ラックギア１５は、駆動レバー２９により下降動作し、この下降動作が終了すると、元の位置に上昇復帰するようになっている。
【００２１】
２０は、上側の補助ローラ６２と共に紙テープＳの先端部を挟持して、紙テープＳの先端部をハサミ上刃２１、２２側に所定長さだけ送り出す送出ローラである。補助ローラ６２は、上下に摺動可能なローラ持上げ板５７の上部に連結されており、補助ローラ６２を上方から押圧するローラ押えバネ７２により押し下げられた状態で送出ローラ２０側に付勢され、紙テープＳの先端部を確実に挟持できるようにされている。紙テープＳのセットの際は、このローラ持上げ板５７を押し下げて補助ローラ６２と送出ローラ２０との間に隙間をつくり挿入する。２８は、ハサミ上刃２１、２２に設けられたバネ受けで、バネ受け２８には、上下一対のハサミ２１、２２を互いに離反方向に付勢するハサミ上下バネ５４と連結シャフト２７が装着保持されている。そして、駆動レバー２９により連結シャフト２７を下降動作させることで、ハサミ上刃２１がハサミ下刃２２側に下降して、テープ受け２８上の紙テープＳの引出し端部をカットできるようになっている。すなわち、連結シャフト２７はハサミ上下バネ５４により上方向に付勢されている。６７はハサミ部ブロックの前蓋で、内部にはハサミ下刃２２を付勢してハサミ上刃２１との当接度合いを調整するためのハサミ押圧バネ７６が収納されている。
【００２２】
図３に示すように、駆動レバー２９は、安全カバー７が後退動作した際に駆動ピン５８を介して連動するもので、駆動ブロック３０に設けた支点軸３１を中心にして回転するようになっている。駆動ブロック３０には、山型のガイド用溝孔２５が形成され、溝孔２５には、安全カバー７と一体に動く駆動ピン５８が摺動可能に係合している。これにより、駆動レバー２９は駆動ピン５８を介して、溝孔２５の山型に沿った動作軌跡を描くようになっている。
【００２３】
また、駆動レバー２９には、上部、中部、下部の三つの段差面が形成されている。駆動レバー２９の上部、中部、下部の下面直下には、これら段差に対応して回転ローラ用ラックギア１５、ハサミ部用連結シャフト２７、送出ローラ用リンク３３の先端が押下げ可能に配設されている。リンク３３はリンクガイド３５に保持され、リンクガイド３５はリンクブロック３４に取り付けられている。リンク３３の下端部には、水平方向に延びるガイド溝３３Ａが形成され、ガイド溝３３Ａには，リンク受けピン６０が摺動可能に係合している。駆動レバー２９の下降に伴い、リンク３３とリンク受けピン６０を介して送出ローラ２０が回転するようになっている。
【００２４】
３７は、ストッパーピン３８を設けたストッパープレートで、ストッパーピン３８は、ストッパーホルダー３９により保持されている。押しボタン用のストッパーノブ２６には，押しボタンピン５９が取り付けられている。その他、４９は紙テープ切断部を覆う目隠し蓋、５６は駆動レバー２９の回転軸に設けた抜止めＥリングである。また、５５は安全カバーリターンバネ、６１はストッパーリターンバネ、６５はラック押し付けボール、６６はラック押しバネ、６８はローラシャフト、６９は補助ローラシャフト、７０はバネホルダー、７１はローラ駆動アーム、７２はローラ押さえバネ、７３はカムローラ軸、７４は安全ブロックガイドピン、７５は安全ブロックバネ引掛ピン、７７はアームバネカラー、７８はクラッチホルダー、８０は蝶番である。
【００２５】
上記クラフトテープカッターの作動について詳しく説明する。
まず、ケース本体１２からクラフトテープＴを必要量だけ引き出して、その引出し側部分を、ダンボール箱（接着対象物）Ｗの封緘部分Ｗ１に沿って貼り付けていく。ダンボール箱ＷにクラフトテープＴを貼り終えたら、つぎに、クラフトテープＴをカッター刃５で切断分離するが、クラフトテープＴをカットする前に、押しボタン２６を押して安全カバー７のロック固定を解除し、安全カバー７を移動可能な状態にセットする。セット後、クラフトテープＴの切断工程に移行する。
【００２６】
この場合、カットしようとしてケース本体１２をクラフトテープＴの上面側に傾けると、カッター刃５がクラフトテープＴの上面側に接近するが、これに伴い安全カバー７も、図４に示すように、クラフトテープＴに当接する。このために、クラフトテープＴの上面から安全カバー７の前面に押付け力が作用して、安全カバー７はカッター刃５の後端側に後退する。すると、安全カバー７の後退動作に連動して、駆動レバー２９が駆動ピン５８を介して支点軸３１回りに、図５中時計回り方向に回動して下降する。この場合駆動ピン５８は、駆動ブロック３０のガイド用溝孔２５に沿って、図５中斜め左上方向に相対移動する。
【００２７】
駆動レバー２９の図５中下方側への回転によりリンク３３、連結シャフト２７及びラックギア１５が押し下げられる。連結シャフト２７が押し下げられることで、図４に示すように、ハサミ上刃２１がハサミ下刃２２側に下降し、ハサミ上刃２１とハサミ下刃２２の間にある紙テープＳを切断する。切断分離した紙テープ片Ｓ１は、ホルダーアーム８の先端に設けた紙テープホルダー２４で保持される。テープ切断後、ラックギア１５の動きに連動して、ホルダーアーム８が安全カバー７の前側に向かって上側に回転を開始する。図６及び図７に示すように、ホルダーアーム８が１８０度回転すると、ホルダーアーム８先端の紙テープホルダー２４が安全カバー７の先端部前面に到達する。すると、安全カバー７前面に起立するクラフトテープＴの先端部が、安全カバー７前面と紙テープホルダー２４先端面とで挟まれた状態になり、クラフトテープＴの先端部に紙テープ片Ｓ１が接着して貼付される。
【００２８】
ホルダーアーム８が回転してから紙テープ片Ｓ１をクラフトテープＴに貼付するまでの間に、クラフトテープＴはカッター刃５の先端に接触し、テープ片貼付後に、クラフトテープＴの幅方向中央から破断が始まる。また、テープ片貼付後、ホルダーアーム８は、アームリターンバネ５３の力で、ハサミ部２１、２２側に回転して元の位置に下降復帰する。ホルダーアーム８が元の位置に戻る間に、カッター刃５によるクラフトテープＴの破断作用が進行し、クラフトテープＴの切断分離が終了する。これにより、図１０に示すように、対象物である段ボール箱Ｗの封緘部Ｗ１にクラフトテープＴが接着され、接着されたクラフトテープＴのＶ形後端部には、剥がし口となる紙テープ片Ｓ１が貼付されることになる。これにより、段ボール箱ＷへのクラフトテープＴの接着作業が終了する。
【００２９】
一方、テープ片貼付後、安全カバー７はカバーリターンバネ６３の力で、元の位置に戻るべく、図１中右側左向に前進する。安全カバー７の前進動作に伴い、それまで駆動レバー２９で押し下げられていたリンク３３が上昇する。リンク３３の上昇動作と連動して送出ローラ２０が回転し、図８及び図９に示すように、紙テープロール１７から紙テープＳの先端が引き出され、ハサミ部２１、２２側に送り出される。このときの紙テープＳの送出し量は２０ｍｍである。送り出された紙テープＳの先端部は、ハサミ上刃２１とハサミ下刃２２の間を通過して、ホルダーアーム８先端の紙テープホルダー２４に供給され保持される。そして、前記安全カバー７が最初の元位置に戻ると、ストッパーリターンバネ６１により押しボタン２６が上方に移動して、安全カバー７がロック固定状態に切り換えられる。
【００３０】
以上のように本実施例では、押しボタン２６を押して安全カバー７のロックを解除し、クラフトテープＴの切断動作に移るが、そのとき安全カバー７がクラフトテープＴ上面で押されて後退し、安全カバー７と連動する駆動レバー２９を介して、ハサミ上刃２１とハサミ下刃２２により紙テープＳがカットされる。カット後、ラックギア１５とピニオンギア１４を介して、紙テープホルダー２４を先端に有するホルダーアーム８が上側に回転し、紙テープホルダー２４と安全カバー７とでクラフトテープＴを挟む形で、該テープＴに紙テープ片Ｓ１を貼付する。
【００３１】
上記実施例では、安全カバー７のストロークは１４ｍｍであり、安全カバー７が８ｍｍ後退した地点でクラフトテープＴがカット刃５の先端に当たる。その間に、紙テープ片Ｓ１の接着作業をすべて完了させる。すなわち、安全カバー７が後退してからクラフトテープＴがカットされるまでの間に、安全カバー７の動きと関連する紙テープＳのカット動作と、紙テープ片Ｓ１のクラフトテープＴへの貼付動作を完了させる。
【００３２】
段ボール箱ＷにクラフトテープＴを貼着した後、段ボール箱ＷからクラフトテープＴを剥離するには、図１０に示すように、クラフトテープＴの剥がし口である紙テープ片Ｓ１部分をつかんで持ち上げればよく、段ボール箱ＷからクラフトテープＴを簡単に剥がすことができる。この剥離作業の際、作業者の手指に粘着剤が付着するおそれはない。また、従来のように、カッターナイフやハサミなどを用たり、クラフトテープＴが粘着した封緘部分Ｗ１を叩いて破る必要がないので、ダンボール箱Ｗの中の商品を傷つける心配がない。また、カッター刃５を中央が凸の山型に形成しているので、丈夫なクラフトテープも容易に切断することができ、テープ切断時に手首をひねる動作をしなくても良いので、作業を長時間繰り返しても手首を傷めるおそれがない。
【００３３】
上記実施例では、安全カバー７と連動して駆動レバー２９を作動させ、駆動レバー２９により、送出ローラ２０、ハサミ上刃２１、２２及び紙テープホルダー２４を駆動させ、これら部材２０、２１、２２及び２４により、クラフトテープＴに紙テープ片Ｓ１が貼付される。この場合、剥離代となるテープ引出し量をその都度調節する必要もなく、テープカットの際に、紙テープＳの引出し、カット及び貼付の各工程が順次自動的に行われるので、テープ切断作業を容易かつ素早く行なうことができる。また、カッター刃５の形状は中央が凸の山型に形成されているので、クラフトテープＴの中央部分にカッター刃５を垂直に軽く押し当てるだけで、クラフトテープＴを容易に切ることができ、クラフトテープＴに対する切れ味が格段に向上する。クラフトテープＴの切断部の形状は山型になるが、剥離代である紙テープ幅はクラフトテープ幅よりも小さいため、切断後のクラフトテープＴの両端部分Ｔ１、Ｔ２はダンボール箱Ｗに接着されるので、輸送中にクラフトテープＴが不用意に剥がれる心配がない。クラフトテープＴのカッタ刃５部分は安全カバー７で覆われているのでテープ切断作業の安全性が向上する。
【００３４】
以上実施例について説明したが、本発明は種々の応用変形が可能である。例えば、本体ケースにハンドルを取り付けることで、更なる作業性の向上を図ることができると共に、クラフトテープカッターの重量バランスの調整を図ることができる。また、剥離代としての顕示効果を高めるために、紙テープに色紙を使用すると良い。
【００３５】
【発明の効果】
以上のごとく本発明によれば、クラフトテープのカット時に、安全カバーと連動する駆動レバーにより、非接着テープ片がクラフトテープに貼付されるので、剥離代となる非接着テープ片をクラフトテープに自動的に貼付できるばかりでなく、テープ接着時及びテープ剥離時における作業性及び安全性が向上し、作業効率をより一層高めることができるという優れた効果がある。
【図面の簡単な説明】
【図１】本発明に係るクラフトテープカッターの内面構造（初期状態）を示す正面図である。
【図２】図１の平面図である。
【図３】図１の背面図である。
【図４】クラフトテープカッターのテープカット状態の内部構造を示す正面図である。
【図５】図４の背面図である。
【図６】クラフトテープカッターの内面構造（テープ貼付状態）を示す正面図である。
【図７】図６の背面図である。
【図８】クラフトテープカッターの内面構造（テープカット完了状態）を示す正面図である。
【図９】図８の背面図である。
【図１０】段ボール箱にクラフトテープを貼り付けて封緘した状態を示す説明図である。
【符号の説明】
１        回転ローラ
２        ステイ
３        テープストッパローラー
５        カット刃
７        安全カバー
８        ホルダーアーム
９        ガイドピン
１０      カット刃固定ブロック
１２      本体ケース
１２Ａ    胴体部
１２Ｂ    カット台部
１４      ピニオンギア
１５      ラックギア
１６      クラフトテープロール（第一の回転リール）
１７      紙テープロール（第二の回転リール）
１８      ギアホルダー
１９      ギアガイド
２０      紙テープ用送出ローラ
２１      ハサミ上刃（紙テープ切断部）
２２      ハサミ下刃（紙テープ切断部）
２３      ハサミ部ブロック
２４      紙テープホルダー（可動ホルダー）
２５      溝孔
２６      押しボタン（ロック解除手段）
２７      連結シャフト
２８      バネ受け
２９      駆動レバー
３０      駆動ブロック
３１      支点軸
３３      リンク
３４      リンク固定ブロック
３５      リンクガイド
３６      ストッパーノブ
３７      ストッパープレート
３８      ストッパーピン（ロック機構）
３９      ストッパーホルダー
４０      クラフトテープホルダー
４１      クラフトテープホルダー
４３      芯
４４      ロール押さえ
４５      クラフト押さえ板
４６      ベースプレート
４７      側板
４８      駆動部カバー
４９      目隠し蓋
５０      紙テープ底ガイド
５１      紙テープ底ガイド
５３      アームリターンバネ
５４      ハサミ上下バネ
５５      安全カバーリターンバネ
５６      抜止めＥリング
５８      駆動ピン
５９      押しボタンピン
６０      リンク受けピン
６１      ストッパーリターンバネ
６２      補助ローラ
６３      カバーリターンバネ
６５      ラック押し付けボール
６６      ラック押しバネ
６７      ハサミ部ブロック前蓋
６８      ローラーシャフト
６９      補助ローラ軸
７０      バネホルダー
７１      ローラ補助アーム
７２      ローラ押えバネ
７３      カムローラ軸
７４      安全ブロックガイドピン
７５      安全ブロックバネ引掛ピン
７６      ハサミ押圧バネ
７７      アーム軸カラー
７８      クラッチホルダー
８０      蝶番
Ｓ        紙テープ（非接着テープ）
Ｓ１      紙テープ片
Ｔ        クラフトテープ（接着テープ）
【図１】
2004161487.tif 000003
【図２】
2004161487.tif 000004
【図３】
2004161487.tif 000005
【図４】
2004161487.tif 000006
【図５】
2004161487.tif 000007
【図６】
2004161487.tif 000008
【図７】
2004161487.tif 000009
【図８】
2004161487.tif 000010
【図９】
2004161487.tif 000011
【図１０】
2004161487.tif 000012